(57)【要約】【課題】複数の励起光源を内設するマルチポート光増幅器において、劣化の著しい励起光源の劣化の進展を抑制することで各励起光源の寿命をできるだけ均一化したマルチポート光増幅器を提供する。【解決手段】劣化判定手段２５は、一部の励起光源素子１１ａの劣化を検出すると、劣化したと判定された励起光源素子１１ａの情報を温度目標値調整手段２９に出力する。また、劣化した励起光源素子１１ａが検出された後も、駆動電流共通目標値算出手段２７を用いて各励起光源素子１１ａへ供給する駆動電流の目標値を各励起光源素子１１ａで同一とする。温度目標値調整手段２９は、劣化判定手段２５から劣化した励起光源素子１１ａの情報を入力すると、劣化した励起光源素子１１ａの温度を所定の設定温度に維持している温調回路１３に対して、当該設定温度を別の所定の設定温度に変更するよう指令する。【選択図】図７
2010183104.tif 000002
【特許請求の範囲】
【請求項１】
光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、
前記制御回路部は、
前記光出力検出信号を入力して前記光信号出力を算出する光出力算出手段と、
前記光出力算出手段で算出された前記光信号出力を所定の光出力目標値と比較して出力差を算出する出力差算出手段と、
前記出力差を入力して前記励起光源に供給する全駆動電流の目標値を算出する全駆動電流目標値算出手段と、
前記励起光源制御・検出部で検出された励起光出力を要求により入力して記憶する基準出力記憶手段と、
前記励起光源制御・検出部及び前記基準出力記憶手段からそれぞれ前記励起光出力及び記憶された前記励起光出力を入力して劣化の進んだ前記励起光源を判定する劣化判定手段と、
前記全駆動電流目標値を全ての前記励起光源制御・検出部に均等に分配して出力する駆動電流共通目標値算出手段と、
前記劣化判定手段から前記劣化の進んだ励起光源の情報を入力して当該劣化の進んだ励起光源の前記励起光源制御・検出部に前記温度目標値を出力する温度目標値調整手段と、
からなることを特徴とする光増幅器。
【請求項２】
光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、
前記制御回路部は、
前記光出力検出信号を入力して前記光信号出力を算出する光出力算出手段と、
前記光出力算出手段で算出された前記光信号出力を所定の光出力目標値と比較して出力差を算出する出力差算出手段と、
前記出力差を入力して前記励起光源に供給する全駆動電流の目標値を算出する全駆動電流目標値算出手段と、
前記励起光源制御・検出部から前記各励起光源の測定温度を入力して特に温度が高い励起光源を判定する劣化判定手段と、
前記全駆動電流目標値を全ての前記励起光源制御・検出部に均等に分配して出力する駆動電流共通目標値算出手段と、
前記劣化判定手段から前記温度が高い励起光源の情報を入力して当該励起光源の前記励起光源制御・検出部に前記温度目標値を出力する温度目標値調整手段と、
からなることを特徴とする光増幅器。
【請求項３】
光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、
前記制御回路部は、
前記光出力検出信号を入力して前記光信号出力を算出する光出力算出手段と、
前記光出力算出手段で算出された前記光信号出力を所定の光出力目標値と比較して出力差を算出する出力差算出手段と、
前記出力差を入力して前記励起光源に供給する全駆動電流の目標値を算出する全駆動電流目標値算出手段と、
前記励起光源制御・検出部から前記励起光出力を入力して重み付けを算出し前記全駆動電流目標値を当該重み付けで分配して前記各励起光源制御・検出部に出力する駆動電流個別目標値算出手段と、
からなることを特徴とする光増幅器。
【請求項４】
前記制御回路部に、
前記駆動電流個別目標値算出手段から駆動電流の目標値が増加された前記励起光源の情報を入力して当該励起光源の前記励起光源制御・検出部に温度目標値を出力する温度目標値調整手段を追加したことを特徴とする請求項３に記載の光増幅器。
【請求項５】
前記制御回路部に、
前記駆動電流個別目標値算出手段及び前記励起光源制御・検出部乃至は前記劣化判定手段からそれぞれ個別駆動電流目標値及び前記励起光出力を入力し、前記個別駆動電流目標値から最大の駆動電流が供給されている前記励起光源を特定し、特定された前記励起光源のＩ−Ｌ特性を推定し、残りの前記励起光源の前記個別駆動電流目標値及び前記励起光出力が推定された前記Ｉ−Ｌ特性上にあると判定した場合には前記切換手段に対し再び前記駆動電流共通目標値算出手段側に切換えるよう指令する復帰判定手段を追加したことを特徴とする請求項３又は請求項４に記載の光増幅器。
【請求項６】
前記劣化判定手段は、
前記励起光源制御・検出部から前記励起光出力を入力して前記励起光出力の最大値との差が所定値以上となる前記励起光源を劣化していると判定することを特徴とする請求項１又は請求項５のいずれか１項に記載の光増幅器。
【発明の詳細な説明】
【技術分野】
【０００１】
本発明は、光信号入力を増幅し高出力の光信号を送出する高出力光増幅器に関して、特に複数の励起光源を内設して大きな増幅効果を得てその出力光を複数の出力光に分岐して送出するマルチポート光増幅器の技術分野に関するものである。
【背景技術】
【０００２】
光通信分野においては、一つの光信号を複数の地点に分岐して送信するニーズが高いが、光信号が分岐されるとその出力が低下するため光増幅器を用いて増幅することが行われている。光増幅器は、内部に励起光源を有しており、励起光源から出力される励起光によって入力光を増幅して出力している。従来の増幅器は、内部に１つ乃至２つ程度の励起光源を有するのが一般的であった。
【０００３】
一方、通信分野の中でも特にＣＡＴＶのような放送分野に適用する場合には、多数の加入者宅に送信するため１局から多数の出力に分配して送信する必要がある。
放送用では、パワーが０〜１０ｄＢｍ程度の比較的高い光信号を光増幅器に入力し、これを１出力当り２０ｄＢｍ程度に増幅して送信している。光増幅器１台で前記入力光を２０ｄＢｍ程度に増幅できるものとすると、１入力の光信号を例えば１６出力に分配して送信するためには、従来は１６台の前記光増幅器が必要となった。このように１入力１出力の光増幅器を用いた場合には、出力数に応じた数だけの光増幅器が必要となり、光増幅器の設置スペースが膨大になるといった課題があった。
【０００４】
そこで、１入力の光信号に対し複数の光信号を出力するマルチポート光増幅器が開発されている。マルチポート光増幅器は、１入力の光信号を増幅して複数の光信号に分岐して出力するものであり、そのために複数の励起光源を用いて大きな増幅効果を実現している。
例えば、１入力１６出力のマルチポート光増幅器では、４組程度の励起光源が用いられている。
【０００５】
マルチポート光増幅器を用いることにより、１入力の光信号を例えば１６出力の光信号に分岐するために従来は１６台の光増幅器が必要であったものが、１台のマルチポート光増幅器で済むようになった。４組の励起光源を内設するマルチポート光増幅器は、従来の１入力１出力の光増幅器よりもサイズがやや大きくなるものの、１入力１出力の光増幅器を１６台設置するのに必要なスペースに比べて設置スペースが大幅に低減されるという優れた効果がある。
【発明の開示】
【発明が解決しようとする課題】
【０００６】
光増幅器は、内設されている励起光源が使用とともに劣化していくため、所定の使用限界まで劣化が進むと当該光増幅器を交換する必要がある。上記で説明したマルチポート光増幅器は複数の励起光源を内設しており、複数の励起光源のうちいずれか一つでも所定の使用限界まで劣化すると、当該マルチポート光増幅器そのものを交換する必要があった。
【０００７】
励起光源に用いられている励起光源素子の特性にはばらつきがあり、また励起光源素子はペルチェ素子で冷却されているが、その冷却特性にもばらつきがある。その結果、励起光源素子の劣化にもばらつきが生じてしまう。そのため、複数の励起光源を内設するマルチポート光増幅器では、それぞれの励起光源で劣化特性が異なっており、そのうち劣化の進展が最も早い励起光源によって当該マルチポート光増幅器の寿命が決定されてしまう。
【０００８】
複数の励起光源のうちの一部の励起光源が他より著しく劣化した場合、劣化の著しい当該励起光源をそれまでと同じ条件で使用し続けると、当該励起光源が他の励起光源に比べて早期に使用限界に到達してしまう。その結果、他の励起光源の劣化があまり進んでいないにもかかわらず、前記一部の劣化の著しい励起光源が使用限界に達したために当該マルチポート増幅器が使用できなくなる恐れがあった。
【０００９】
このように、複数の励起光源を内設するマルチポート光増幅器において、一部の励起光源が早期に劣化したために当該マルチポート増幅器が使用できなくなるのは、マルチポート光増幅器の信頼性を著しく低下させるだけでなく、大幅なコストアップにもつながる。
【００１０】
本発明はこれらの課題を解決するためになされたものであり、複数の励起光源の寿命をできるだけ均一化することにより、使用限界に到達するまでの使用期間を最適化したマルチポート光増幅器を提供することを目的とする。
【課題を解決するための手段】
【００１１】
この発明の光増幅器の第１の態様は、光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、前記制御回路部は、前記光出力検出信号を入力して前記光信号出力を算出する光出力算出手段と、前記光出力算出手段で算出された前記光信号出力を所定の光出力目標値と比較して出力差を算出する出力差算出手段と、前記出力差を入力して前記励起光源に供給する全駆動電流の目標値を算出する全駆動電流目標値算出手段と、前記励起光源制御・検出部で検出された励起光出力を要求により入力して記憶する基準出力記憶手段と、前記励起光源制御・検出部及び前記基準出力記憶手段からそれぞれ前記励起光出力及び記憶された前記励起光出力を入力して劣化の進んだ前記励起光源を判定する劣化判定手段と、前記全駆動電流目標値を全ての前記励起光源制御・検出部に均等に分配して出力する駆動電流共通目標値算出手段と、前記劣化判定手段から前記励起光出力を入力して重み付けを算出し前記全駆動電流目標値を当該重み付けで分配して前記各励起光源制御・検出部に出力する駆動電流個別目標値算出手段と、前記全駆動電流目標値を前記全駆動電流目標値算出手段から入力して通常は前記駆動電流共通目標値算出手段に出力する一方前記劣化判定手段で劣化した励起光源素子が判定されると前記全駆動電流目標値の出力先を前記駆動電流個別目標値算出手段に切換える切換手段とからなることを特徴とする光増幅器である。
【００１２】
第２の態様は、前記制御回路部に、前記切換部が前記駆動電流共通目標値算出手段から前記駆動電流個別目標値算出手段側に切換えられた場合に、前記駆動電流個別目標値算出手段から駆動電流の目標値が増加された前記励起光源の情報を入力して当該励起光源の前記励起光源制御・検出部に温度目標値を出力する温度目標値調整手段を追加したことを特徴とする光増幅器である。
【００１３】
第３の態様は、光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、前記制御回路部は、前記光出力検出信号を入力して前記光信号出力を算出する光出力算出手段と、前記光出力算出手段で算出された前記光信号出力を所定の光出力目標値と比較して出力差を算出する出力差算出手段と、前記出力差を入力して前記励起光源に供給する全駆動電流の目標値を算出する全駆動電流目標値算出手段と、前記励起光源制御・検出部で検出された励起光出力を要求により入力して記憶する基準出力記憶手段と、前記励起光源制御・検出部及び前記基準出力記憶手段からそれぞれ前記励起光出力及び記憶された前記励起光出力を入力して劣化の進んだ前記励起光源を判定する劣化判定手段と、前記全駆動電流目標値を全ての前記励起光源制御・検出部に均等に分配して出力する駆動電流共通目標値算出手段と、前記劣化判定手段から前記劣化の進んだ励起光源の情報を入力して当該劣化の進んだ励起光源の前記励起光源制御・検出部に前記温度目標値を出力する温度目標値調整手段とからなることを特徴とする光増幅器である。
【００１４】
第４の態様は、光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、前記制御回路部は、前記光出力検出信号を入力して前記光信号出力を算出する光出力算出手段と、前記光出力算出手段で算出された前記光信号出力を所定の光出力目標値と比較して出力差を算出する出力差算出手段と、前記出力差を入力して前記励起光源に供給する全駆動電流の目標値を算出する全駆動電流目標値算出手段と、前記励起光源制御・検出部から前記各励起光源の測定温度を入力して特に温度が高い励起光源を判定する劣化判定手段と、前記全駆動電流目標値を全ての前記励起光源制御・検出部に均等に分配して出力する駆動電流共通目標値算出手段と、前記劣化判定手段から前記温度が高い励起光源の情報を入力して当該励起光源の前記励起光源制御・検出部に前記温度目標値を出力する温度目標値調整手段とからなることを特徴とする光増幅器である。
【００１５】
第５の態様は、光信号を増幅させるための励起光を生成する励起光源を複数持ち、前記各励起光源を制御する励起光源制御・検出部と、前記光信号を入力して前記励起光により増幅させる光ファイバーと、前記励起光を前記光ファイバーに合波させるためのパワーコンバイナーと、増幅された光信号出力を分岐する光分岐器と、前記光分岐器で分岐された光信号を入力して前記光信号出力を算出するための光出力検出信号を生成する光出力検出回路部と、前記光出力検出信号を入力して前記励起光源制御・検出部を制御する制御回路部とからなる光増幅器であって、前記制御回路部は、前記光出力検出信号を入力して前記光信号出力を算出する光出力算出手段と、前記光出力算出手段で算出された前記光信号出力を所定の光出力目標値と比較して出力差を算出する出力差算出手段と、前記出力差を入力して前記励起光源に供給する全駆動電流の目標値を算出する全駆動電流目標値算出手段と、前記励起光源制御・検出部から前記励起光出力を入力して重み付けを算出し前記全駆動電流目標値を当該重み付けで分配して前記各励起光源制御・検出部に出力する駆動電流個別目標値算出手段とからなることを特徴とする光増幅器である。
【００１６】
第６の態様は、前記制御回路部に、前記駆動電流個別目標値算出手段から駆動電流の目標値が増加された前記励起光源の情報を入力して当該励起光源の前記励起光源制御・検出部に温度目標値を出力する温度目標値調整手段を追加したことを特徴とする光増幅器である。
【００１７】
第７の態様は、前記制御回路部に、前記駆動電流個別目標値算出手段及び前記励起光源制御・検出部乃至は前記劣化判定手段からそれぞれ個別駆動電流目標値及び前記励起光出力を入力し、前記個別駆動電流目標値から最大の駆動電流が供給されている前記励起光源を特定し、特定された前記励起光源のＩ−Ｌ特性を推定し、残りの前記励起光源の前記個別駆動電流目標値及び前記励起光出力が推定された前記Ｉ−Ｌ特性上にあると判定した場合には前記切換手段に対し再び前記駆動電流共通目標値算出手段側に切換えるよう指令する復帰判定手段を追加したことを特徴とする光増幅器である。
【００１８】
第８の態様は、前記劣化判定手段は、前記励起光源制御・検出部から前記励起光出力を入力して前記励起光出力の最大値との差が所定値以上となる前記励起光源を劣化していると判定することを特徴とする光増幅器である。
【発明の効果】
【００１９】
本発明によれば、マルチポート光増幅器に内設された複数の励起光源のうち特に劣化の進んだ励起光源を検出し、当該励起光源の劣化度合いを低減することによって劣化の進展を抑制することが可能となる。これにより、内設された複数の励起光源の寿命をできるだけ均一化することができ、当該マルチポート光増幅器の使用可能期間を最大限長くすることができる。
【００２０】
また、マルチポート光増幅器の使用可能期間を最大限長くすることにより、マルチポート光増幅器の信頼性を高めコストダウンを図ることができるというすぐれた効果がある。さらに本発明によれば、効率のよい励起光源への駆動電流を増加させることで全体の駆動電流が低減されるため、低消費電力化が図れるという効果も得られる。
【図面の簡単な説明】
【００２１】
【図１】図１は、本発明の第一の実施形態に係るマルチポート光増幅器の全体構成を説明するブロック図である。
【図２】図２は、励起光源素子の駆動電流Ifと出力Ｐ（Ｗ）との関係を示すＩ−Ｌ特性を説明する図である。
【図３】図３は、本発明の第一の実施形態に係る制御回路部の構成を説明する制御ブロック図である。
【図４】図４は、一部の励起光源素子が劣化したときのＩ−Ｌ特性を説明する図である。
【図５】図５は、所定の重み付けで駆動電流を分配した時の駆動電流Ifと出力Ｐ（Ｗ）との関係を説明する図である。
【図６】図６は、本発明の第二の実施形態に係る制御回路部の構成を説明する制御ブロック図である。
【図７】図７は、本発明の第三の実施形態に係る制御回路部の構成を説明する制御ブロック図である。
【図８】図８は、本発明の第四の実施形態に係る制御回路部の構成を説明する制御ブロック図である。
【図９】図９は、本発明の第五の実施形態に係る制御回路部の構成を説明する制御ブロック図である。
【発明を実施するための形態】
【００２２】
以下、本発明の好ましい実施の形態を図面に基づいて説明する。本実施形態においては、マルチポート光増幅器に対して本発明を適用する場合を説明する。
図１は、第一の実施形態に係るマルチポート光増幅器の励起光源駆動方式を説明するブロック図である。
【００２３】
本実施形態のマルチポート光増幅器１は、励起光源制御・検出部２、光ファイバー３、パワーコンバイナー４、光分岐器５、光分岐器６、光出力検出回路部７、及び制御回路部８から構成されている。
【００２４】
本実施形態のマルチポート光増幅器１は４組の励起光源制御・検出部２を有するものとしており、各励起光源制御・検出部２から出力される励起光をパワーコンバイナー４を介して光ファイバー３に入力することで光信号入力Ｐｉを増幅し、光分岐器５を経由して光信号出力Ｐｏを実現する。さらに、増幅された光信号出力Ｐｏは光分岐器６で所定の数の光信号に分岐されて出力される。
【００２５】
光ファイバー３は、希土類元素が添加された光ファイバーであって、コアに隣接して第一のクラッド部分が形成されさらにその外側に第二のクラッド部分が形成されたダブルクラッド構造の光ファイバーである。
【００２６】
光信号Ｐｉは光ファイバー３のコア部分に入力され、光ファイバー３の第一のクラッド部分にはパワーコンバイナー４を介して励起光源制御・検出部２から出力された励起光が入力される。光ファイバー３に入力された光信号Ｐｉは、光ファイバー３の前記第一のクラッド部分に入力された前記励起光によって光ファイバー３内で増幅され、パワーコンバイナー４及び光分岐器５を介して光信号Ｐｏとして出力される。
【００２７】
光出力検出回路部７は、パワーコンバイナー４からの光出力を光分岐器５で分岐された一部の光信号を検出し、これを光信号出力Ｐｏを算出するための光出力検出信号として制御回路部８に提供する。
【００２８】
各励起光源制御・検出部２は、励起光源１１、駆動回路１２、温調回路１３、温度測定回路１４、および励起光出力検出回路１５から構成されている。励起光源１１は、駆動回路１２から与えられる駆動電流によって発光し、励起光源１１の光出力はパワーコンバイナー４に供給される。本実施形態の光増幅器１は、４組の励起光源制御・検出部２の各々の励起光源１１を並列に駆動させるような構成としている。
【００２９】
励起光源１１は、励起光源素子１１ａおよびこれを冷却する冷却素子１１ｂから構成されており、励起光源素子１１ａが一定温度になるように温調回路１３から冷却素子１１ｂに温度制御電流が供給される。
【００３０】
励起光出力検出回路１５は、図示しないバックファセットあるいはフォワードモニタ等によって励起光源１１の光出力レベルを検出している。温度測定回路１４は励起光源１１の励起光源素子１１ａ又はその近傍の周囲温度を測定しており、サーミスタ素子などで構成することができる。
【００３１】
制御回路部８は、光出力検出回路部７から前記光出力検出信号を入力するとともに、励起光源制御・検出部２の温度測定回路１４及び励起光出力検出回路１５からそれぞれの信号を入力し、駆動回路１２および温調回路１３に対してそれぞれの制御信号を出力して動作させる構成としている。
なお本実施形態では、励起光源素子１１ａとしてマルチモードレーザダイオードを用いている。
【００３２】
つぎに、励起光を生成する励起光源素子１１ａの劣化特性について説明する。
励起光源素子１１ａの劣化度合いをβとすると、劣化度合いβは次式で表せる。
β  ∝  If・exp（-Ea／（k・Tj））                              （１）
ここで、
If：励起光源素子１１ａの駆動電流
Ea：活性化エネルギー
K：ボルツマン定数
Tj：ジャンクション温度
である。
【００３３】
また、ジャンクション温度Tjは次式で表せる。
Tj  =  Rth・Vf・If＋Ta                                      （２）
ここで、
Rth：熱抵抗
Vf：励起光源素子１１ａの順方向電圧
Ta：周囲温度
である。
【００３４】
式（１）より、劣化度合いβは励起光源素子１１ａの駆動電流Ifとジャンクション温度Tjに依存して変化することがわかる。また、式（２）における励起光源素子１１ａの順方向電圧Vfは駆動電流Ifへの依存性があることから、励起光源素子１１ａの特性が均一でかつ放熱構造上の特性も均一という仮定のもとであれば、劣化度合いβは励起光源素子１１ａの駆動電流Ifが支配的となる。
【００３５】
従って、複数の励起光源１１を用いたマルチポート光増幅器１では、各々の励起光源素子１１ａの特性が均一でかつ放熱構造上の特性が均一であれば、同じ駆動電流ですべての励起光源素子１１ａを動作させることで、各励起光源素子１１ａの劣化度合いを均等に保つことができる。
【００３６】
しかしながら、現実には励起光源素子１１ａの特性や放熱特性にはバラツキがあることから、各励起光源素子１１ａに対して同じ大きさの駆動電流Ifを供給すると、各励起光源素子１１ａの劣化度合いが異なってしまうという問題があった。劣化の進んでいる励起光源素子１１ａの一層の劣化を抑えるためには、式（１）で表される劣化度合いβを小さくする必要があり、そのためには当該励起光源素子１１ａの駆動電流を減らすのが好ましい。
【００３７】
励起光源素子１１ａの駆動電流Ifと出力Ｐ（Ｗ）との関係を示すＩ−Ｌ特性の例を図２に示す。４組の励起光源素子１１ａをそれぞれ１１Ａ、１１Ｂ、１１Ｃ、１１Ｄと表記したとき、図２ではそれぞれのＩ−Ｌ特性が少しずつ異なっている例を示している。
【００３８】
図２に例示した４組の励起光源素子１１ａのＩ−Ｌ特性の比較では、１１Ａが最も劣化度合いが小さく、１１Ｂ、１１Ｃ、１１Ｄの順に劣化度合いが大きくなると仮定している。
励起光源素子１１ａの劣化度合いが大きくなるにつれて、同じ大きさの駆動電流に対する励起光出力が低下していくことを示している。
【００３９】
以下では、図２に示したＩ−Ｌ特性を各励起光源素子１１ａの初期特性と仮定して、本実施形態における制御回路部８の動作を説明する。なお制御回路部８は、４組の励起光源素子１１ａで合計８．５Ｗの励起光出力を供給することを目標に、各励起光源素子１１ａへの駆動電流及び／又は各温調回路１３の設定温度を制御するものとする。
【００４０】
制御回路部８の制御ブロック図の一実施例を図３に示す。本実施形態では、制御回路部８は光出力算出手段２１、出力差算出手段２２、全駆動電流目標値算出手段２３、基準出力記憶手段２４、劣化判定手段２５、切換手段２６、駆動電流共通目標値算出手段２７、及び駆動電流個別目標値算出手段２８から構成される。
【００４１】
光出力算出手段２１は、光出力検出回路７から光出力検出信号を入力して光信号出力Ｐｏを算出する。出力差算出手段２２は、光信号出力Ｐｏの目標値（ここでは８．５Ｗが設定されている）を内部に有しており、光出力算出手段２１で算出された光信号出力Ｐｏと当該光出力目標値との差を算出し、この出力差を全駆動電流目標値算出手段２３に出力する。
【００４２】
全駆動電流目標値算出手段２３は、出力差算出手段２２から前記出力差を入力し、前記出力差に基づいてそれまでの全駆動電流目標値を修正した新たな全駆動電流目標値を算出する。例えば、前記出力差に所定の係数を掛けたものをそれまでの全駆動電流目標値に加算して修正し、これを新たな全駆動電流目標値とすることができる。
【００４３】
基準出力記憶手段２４は、本実施形態のマルチポート光増幅器１の使用開始時等に、それぞれの励起光源制御・検出部２の励起光出力検出回路１５で検出した励起光出力を入力し、これを各々の基準励起光出力として記憶しておく。なお、基準出力記憶手段２４に記憶させる前記励起光出力は、必ずしもマルチポート光増幅器１の稼動初期のものに限定されるものではなく、各励起光源素子１１ａの劣化度合いに大きな差が見られない時点等に、要求によりその時点の各励起光出力を記憶させることができる。
【００４４】
劣化判定手段２５は、４組の励起光源制御・検出部２の各々の励起光出力検出回路１５から前記励起光出力を入力し、基準出力記憶手段２４に記憶されている各々の前記基準励起光出力と比較することにより、著しく劣化の大きい励起光源素子１１ａを判定する。
【００４５】
劣化判定手段２５における励起光源素子１１ａの劣化判定方法を以下に説明する。
本実施形態のマルチポート光増幅器１を使用開始した初期に、４組の励起光源素子１１ａは図２に示したＩ−Ｌ特性をそれぞれ持っていたとする。このとき、４組の励起光源素子１１ａに同じ大きさの駆動電流を供給する場合には、１１Ａ、１１Ｂ、１１Ｃ、１１Ｄで表記した各励起光源素子１１ａへの駆動電流および励起光出力は表１に示すような値となる。本実施形態では、表１の励起光出力の値を前記基準励起光出力とする。
【００４６】
【表１】
2010183104.tif 000003
【００４７】
その後、４つの励起光源素子１１ａのうち例えば１１Ｄと表記された励起光源素子１１ａが図４に示すように劣化したと仮定すると、１１Ａ、１１Ｂ、１１Ｃ、１１Ｄの各励起光源素子１１ａへの駆動電流および励起光出力は表２のように変化する。すなわち、１１Ｄが劣化して励起光出力が低下すると、光出力検出回路部７で検出された光出力検出信号が低下し、光出力算出手段２１で算出された光信号出力Ｐｏも低下する。
【００４８】
【表２】
2010183104.tif 000004
【００４９】
その結果、出力差算出手段２２において前記光信号出力Ｐｏと前記光出力目標値との出力差が算出され、全駆動電流目標値算出手段２４では前記出力差に対応して全駆動電流目標値が増加される。全駆動電流目標値が増加された結果、表２に示すように各励起光源素子１１ａの駆動電流が増加している。それに伴って励起光出力もそれぞれ変化し、光出力算出手段２１で算出された光信号出力Ｐｏが目標値である８．５Ｗに一致するように制御されている。
【００５０】
表１と表２に示した各励起光源素子１１ａの励起光出力を比較すると、１１Ａ、１１Ｂ、１１Ｃと表記された励起光源素子１１ａは励起光出力が増加しているのに対し、劣化の大きい１１Ｄの励起光出力は逆に減少している。このように、一部の励起光源素子１１ａの励起光出力が低下して他の励起光源素子１１ａの励起光出力が増加している場合には、励起光出力が低下した励起光源素子１１ａが劣化していると判定することができる。
【００５１】
劣化判定手段２５は、各励起光出力検出回路１５から前記励起光出力検出値を入力し、これを基準出力記憶手段２４に記憶されている前記基準励起光出力とそれぞれ比較する。その結果、４組の励起光源素子１１ａのうちの一部の励起光出力が低下する一方残りの励起光源素子１１ａの励起光出力が増加している場合には、励起光出力が低下している励起光源素子１１ａが劣化していると判定する。
【００５２】
切換手段２６は、当初は全駆動電流目標値算出手段２３と駆動電流共通目標値算出手段２７とを接続しており、全駆動電流目標値算出手段２３で算出した前記全駆動電流目標値を駆動電流共通目標値算出手段２７に出力するようにしている。その後、劣化判定手段２５が一部の励起光源素子１１ａの劣化を判定すると、切換手段２６に対し全駆動電流目標値算出手段２３との接続を駆動電流共通目標値算出手段２７から駆動電流個別目標値算出手段２８に切換えるよう要求信号を出力する。これにより、全駆動電流目標値算出手段２３で算出された前記全駆動電流目標値は駆動電流個別目標値算出手段２８に出力されるようになる。
【００５３】
駆動電流共通目標値算出手段２７は、全駆動電流目標値算出手段２３から入力した前記全駆動電流目標値を各励起光源制御・検出部２の駆動回路１２に均等に分配して出力する。すなわち、本実施形態では前記全駆動電流目標値の１／４を各駆動回路１２にそれぞれの目標値として出力する。
【００５４】
これに対し駆動電流個別目標値算出手段２８は、各励起光源素子１１ａの劣化の進展具合に応じて前記駆動電流目標値を適切に分配する。駆動電流個別目標値算出手段２８における前記駆動電流目標値の分配方法の一実施例を以下に説明する。
駆動電流個別目標値算出手段２８では、１１ｉと表記された励起光源素子１１ａの駆動電流目標値を以下の重み付けに基づいて算出する。
【００５５】
１１ｉの重み  ＝  Mi2/（MA2＋MB2+MC2+MD2）                       （３）
１１ｉの駆動電流目標値  ＝  （全駆動電流目標値）×（１１ｉの重み）  （４）
（i=A,B,C,D）
ここで、
MA、MB、MC、MD  ：  それぞれ11A,11B,11C,11Dの励起光出力検出値
である。
【００５６】
１１Ｄと表記された励起光源素子１１ａが図４に示すように劣化した場合、駆動電流個別目標値算出手段２８は各励起光源素子１１ａの駆動電流目標値を表３のＩｆのように分配する。その結果、各駆動電流によって実現される各励起光源素子１１ａの励起光出力は表３のＰのようになる。このときの駆動電流と励起光出力の関係を図５に示す。
【００５７】
【表３】
2010183104.tif 000005
【００５８】
表３の駆動電流Ｉｆ及び励起光出力Ｐを表２の全ての励起光源素子１１ａの駆動電流が等しいときの結果と比較すると、劣化の最も小さい１１Ａの駆動電流Ｉが最も大きく、劣化が大きくなるにつれて駆動電流Ｉｆは小さくなっている。その結果、最も劣化の大きい１１Ｄだけでなく、つぎに劣化の大きい１１Ｃの駆動電流も表２の値より小さくなっている。さらに、表２および表３の駆動電流Ｉｆをそれぞれ合計した全駆動電流目標値は、表２では１０．８６（Ａ）となるのに対し、表３では１０．８３と減少している。
【００５９】
駆動電流個別目標値算出手段２８における励起光源素子１１ａの駆動電流目標値の設定方法では、劣化の小さい励起光源素子１１ａにより多くの駆動電流を供給することにより、全駆動電流が減少して効率のよい動作を実現している。また、式（１）から明らかなように、劣化の大きい励起光源素子１１ａへの駆動電流を小さくすることにより、当該励起光源素子１１ａの劣化度合いを小さくして劣化の進展を抑えていることがわかる。
【００６０】
本実施形態では、駆動電流個別目標値算出手段２８において各励起光源素子１１ａへの駆動電流目標値を算出するための重み付けを、式（３）に示す励起光出力検出値Ｍｉの２乗比としたが、この方法に限ることなく劣化の大きな励起光源素子１１ａへの駆動電流を低下させる方法であればどのような重み付けであってもよい。このような駆動電流目標値の算出方法により、内設された複数の励起光源素子１１ａの寿命をできるだけ均一化することができ、当該マルチポート光増幅器１の使用可能期間を最大限長くすることができる。
【００６１】
併せて、劣化が小さく効率の良い励起光源素子１１ａへの駆動電流をより大きくするような重み付けを行うことにより、駆動電流による全消費電力を低減させることができ、経済性の高いマルチポート光増幅器を提供することができる。
【００６２】
なお、第一の実施形態において劣化判定手段２５及び駆動電流共通目標値算出手段２７を用いることなく、常に駆動電流個別目標値算出手段を用いるようにすることも可能である。
【００６３】
本発明のマルチポート光増幅器の第二の実施形態を以下に説明する。
第一の実施形態では、劣化が小さく効率の良い励起光源素子１１ａに大きな重みをおいて駆動電流目標値を分配したが、劣化の小さい励起光源素子１１ａの駆動電流を大きくすることは当該励起光源素子１１ａの劣化度合いβを大きくすることになり、劣化を加速させることになる。
【００６４】
そこで、劣化の小さい励起光源素子１１ａの劣化度合いをできるだけ低減するために、第二の実施形態では駆動電流を大きくした励起光源素子１１ａに対して温調回路１３の温度目標値を低下させるものとする。
【００６５】
第二の実施形態における制御回路部８の制御ブロック図の一実施例を図６に示す。第二の実施形態では、図３に示した第一の実施形態の制御回路部８の制御ブロック図に温度目標値調整手段２９を追加している。
【００６６】
劣化判定手段２５で一部の励起光源素子１１ａが劣化したと判定されると、駆動電流個別目標値算出手段２８において第一の実施形態と同様に式（３）に基づいて各励起光源素子１１ａの重みを算出する。これと同時に、本実施形態では前記重みが初期の値（本実施形態では１／４）より大きくなる励起光源素子１１ａを特定する。特定された励起光源素子１１ａの情報は、温度目標値調整手段２９に出力される。
【００６７】
温度目標値調整手段２９は、駆動電流個別目標値算出手段２８から前記特定された励起光源素子１１ａの情報を入力すると、前記特定された励起光源素子１１ａの温調回路１３に設定温度の変更値を出力する。例えば、すべての励起光源素子１１ａの温調回路１３の設定温度が初期は２５℃に設定されていたとすると、前記重みが初期の値より大きくなった励起光源素子１１ａの温調回路１３に対して、前記変更値として２０℃を出力する。
【００６８】
温調回路１３の設定温度を２５℃から２０℃に下げることにより、当該温調回路１３によって温度制御されている励起光源素子１１ａの温度が下げられる。すなわち、式（２）の周囲温度Ｔａが下げられることによりＴｊが低下し、その結果式（１）で表される劣化度合いβも小さくなる。
【００６９】
本発明の第二の実施形態では、著しい劣化が検出された励起光源素子１１ａへの駆動電流を低減させて劣化の進展を低減させるだけでなく、駆動電流を増加させた劣化の小さい励起光源素子１１ａの温調回路１３の設定温度を下げることにより、当該励起光源素子１１ａの劣化の進展をも抑制することができる。
【００７０】
本発明の第三の実施形態を図７に基づいて以下に説明する。
劣化判定手段２５において一部の励起光源素子１１ａの劣化を検出すると、本実施形態では劣化したと判定された励起光源素子１１ａの情報を温度目標値調整手段２９に出力する。また、本実施形態では駆動電流個別目標値算出手段２８は用いず、劣化判定手段２５で劣化した励起光源素子１１ａが検出された後も、駆動電流共通目標値算出手段２７を用いて各励起光源素子１１ａへ供給する駆動電流の目標値を各励起光源素子１１ａで同一とする。
【００７１】
温度目標値調整手段２９は、劣化判定手段２５から劣化した励起光源素子１１ａの情報を入力すると、劣化した励起光源素子１１ａの温度を所定の設定温度に維持している温調回路１３に対して、当該設定温度を別の所定の設定温度に変更するよう指令する。例えば、初期の設定温度２５℃から別の所定の設定温度２０℃に変更するよう指令する。
【００７２】
劣化した励起光源素子１１ａの温度を制御している温調回路１３の設定温度を２５℃から２０℃に下げることにより、第二の実施形態で説明した通り、当該励起光源素子１１ａの劣化度合いβを小さくすることができ、劣化した励起光源素子１１ａがさらに劣化するのを抑制することが可能となる。
【００７３】
本発明の第四の実施形態を図８に基づいて以下に説明する。
第一の実施形態から第三の実施形態では、劣化判定手段２５において劣化した励起光源素子１１ａを判定するのに、励起光出力検出回路１５から入力した前記励起光出力を用いていた。本実施形態では、前記励起光出力の代わりに温度測定回路１４から励起光源素子１１ａの温度を入力して劣化判定に用いる。
【００７４】
図８において劣化判定手段２５は、各励起光源制御・検出部２の温度測定回路１４からそれぞれの励起光源素子１１ａの温度測定値を入力し、入力した各励起光源素子１１ａの温度測定値を比較する。その結果、特に温度の高い励起光源素子１１ａが検出されると、当該励起光源素子１１ａが他の励起光源素子１１ａよりも劣化していると判定する。劣化した励起光源素子１１ａが検出されると、劣化判定手段２５から温度目標値調整手段２９に劣化した励起光源素子１１ａの情報が出力される。
【００７５】
温度目標値調整手段２９は、劣化判定手段２５から劣化した励起光源素子１１ａの情報を入力すると、第二の実施形態および第三の実施形態と同様に、劣化した励起光源素子１１ａの温度を制御している温調回路１３に対し、設定温度を別の所定の設定値に変更するよう指令する。例えば、設定温度を初期の設定値２５℃から別の所定の設定値２０℃に変更させることにより、劣化した励起光源素子１１ａの劣化度合いβを小さくすることができ、劣化した励起光源素子１１ａがさらに劣化するのを抑制することができる。特に、複数の励起光源１１に対し個々に電流制御を行うのが難しいような構成の場合には有効となる。
【００７６】
本発明の第五の実施形態を図９に基づいて以下に説明する。
本発明の第一の実施形態及び第二の実施形態では、劣化判定手段２５で劣化した励起光源素子１１ａが検出された後は、駆動電流個別目標値算出手段２８からの駆動電流の目標値の設定によって、劣化の小さい励起光源素子１１ａほど大きな駆動電流が供給される。そのため、当初劣化が小さかった励起光源素子１１ａの劣化が進んでＩ−Ｌ特性上劣化が大きいと判定された励起光源素子１１ａと前記特性が同程度となる可能性がある。
【００７７】
本実施形態では、制御回路部８に復帰判定手段３０を追加し、駆動電流個別目標値算出手段２８から前記個別駆動電流目標値を入力して最大の駆動電流が供給されている励起光源素子１１ａを特定し、特定された励起光源素子１１ａのＩ−Ｌ特性を推定する。また、劣化判定手段から前記励起光出力を入力して残りの励起光源素子１１ａの前記個別駆動電流目標値及び前記励起光出力が推定された前記Ｉ−Ｌ特性上にあるか否かを判定する。判定の結果、残りの励起光源素子１１ａの前記個別駆動電流目標値及び前記励起光出力が推定された前記Ｉ−Ｌ特性上にある、あるいは所定の範囲内で十分近いと判定した場合には、切換手段２６に対し前記全駆動電流目標値を再び駆動電流共通目標値算出手段２７側に出力するよう切換指令を出力する。
【００７８】
これにより、全ての励起光源素子１１ａのＩ−Ｌ特性が同程度になった後は、再び各励起光源素子１１ａに同じ大きさの駆動電流を供給できるようになり、各励起光源素子１１ａの劣化の進展を同程度にすることができる。
【００７９】
本発明のさらに別の実施形態を以下に説明する。
第一の実施形態から第三の実施形態及び第五の実施形態では、劣化判定手段２５において劣化した励起光源素子１１ａを判定するのに基準出力記憶手段２４から入力した特定時点の励起光出力を基準値に用いていた。
【００８０】
本実施形態では、励起光出力検出回路１５から入力した前記励起光出力のみを用いて、前記励起光出力の最大値との差が所定値以上となる励起光源素子１１ａが劣化していると判定させる。これにより、制御回路部８の構成を簡略化することができる。
【００８１】
以上説明したように、本発明によれば、マルチポート光増幅器１に内設された複数の起光源素子１１ａのうち、特に劣化の進んだ励起光源素子１１ａへの駆動電流の供給を小さくすることによって、当該励起光源素子１１ａの劣化の進展を抑制することがでる。これにより、内設された複数の励起光源素子１１ａの寿命をできるだけ均一化することができ、当該マルチポート光増幅器１の使用可能期間を最大限長くすることができる。
また、上記の効果によりマルチポート光増幅器１の信頼性を高め、コストダウンを図ることができるというすぐれた効果がある。
【００８２】
さらに本発明によれば、効率のよい励起光源素子１１ａへの駆動電流を増加させることで、トータルの駆動電流値が低減されて効率が改善されるため、低消費電力化が図れるという効果も得られる。
【符号の説明】
【００８３】
１・・・マルチポート光増幅器
２・・・励起光源制御・検出部
３・・・希土類元素添加光ファイバー
４・・・パワーコンバイナー
５、６・・・光分岐器
７・・・光出力検出回路部
８・・・制御回路部
１１・・・励起光源
１１ａ・・・励起光源素子
１１ｂ・・・冷却素子
１２・・・駆動回路
１３・・・温調回路
１４・・・温度測定回路
１５・・・励起光出力検出回路
２１・・・光出力算出手段
２２・・・出力差算出手段
２３・・・全駆動電流目標値算出手段
２４・・・基準出力記憶手段
２５・・・劣化判定手段
２６・・・切換手段
２７・・・駆動電流共通目標値算出手段
２８・・・駆動電流個別目標値算出手段
２９・・・温度目標値調整手段
３０・・・復帰判定手段
【図１】
2010183104.tif 000006
【図２】
2010183104.tif 000007
【図３】
2010183104.tif 000008
【図４】
2010183104.tif 000009
【図５】
2010183104.tif 000010
【図６】
2010183104.tif 000011
【図７】
2010183104.tif 000012
【図８】
2010183104.tif 000013
【図９】
2010183104.tif 000014